【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
複数の端末機器をネットワークに接続するための複数の接続用のポートを有するスイッチ装置であって、
情報伝達するための各ポート間の接続を経路ラベル情報として記憶するラベル情報記憶手段と、
前記複数のポート中の１つからデータを受信した場合、当該データ中に含まれるラベル情報を検出し、当該検出したラベル情報に一致する経路ラベル情報を前記ラベル情報記憶手段から取得し、取得した経路ラベル情報に従って該当するポートどうしを接続するポート接続制御手段と
を備えることを特徴とするスイッチ装置。
【請求項２】
更に、経路ラベルの登録指示データを受信した場合、当該受信したポートの延長上に経路ラベルを管理するサーバが存在するものとして、記憶保持することを特徴とする請求項１に記載のスイッチ装置。
【請求項３】
前記サーバから前記経路ラベル情報を受信し、前記ラベル情報記憶手段に登録する登録手段を備えることを特徴とする請求項２に記載のスイッチ装置。
【請求項４】
複数の端末機器をネットワークに接続するための複数の接続用のポートを有するスイッチ装置であって、
情報伝達するための各ポート間の接続を経路ラベル情報として記憶する第１の記憶手段と、
ネットワークアドレス情報とポートを特定するポート情報とを対応付けて記憶する第２の記憶手段と、
前記複数のポート中からデータを受信した場合、当該データのフレームがアドレス通信フレームであるか、経路通信フレームであるかを判別する判別手段と、
前記アドレス通信フレームを有するデータを受信した場合、前記第２の記憶手段に登録された情報に基づき、前記アドレス通信フレーム中に記述された送信先アドレスに対応するポートと、送信元のアドレスに対応するポートとを接続するアドレス通信中継手段と、
前記判別手段によって、前記経路通信フレームを有するデータを受信したと判別した場合、当該フレーム中に記述された経路ラベル情報で特定されるポート情報を前記第１の記憶手段から取得し、取得したポートを接続する経路ラベル通信中継手段と
を備えることを特徴とするスイッチ装置。
【請求項５】
更に、ネットワーク上のサーバから経路通信フレームにて各ポートに接続されている端末機器の探索を要求されたときに、アドレス通信フレームにて各ポートに接続されている端末機器を探索する探索手段と、端末機器を確認したときに前記サーバに該端末機器情報を経路通信フレームにて通知する通知手段を備えることを特徴とする請求項４に記載のスイッチ装置。
【請求項６】
前記ポートから受信した通信フレームが、前記判別手段によってアドレス通信フレームであると判別した場合であって、当該フレーム中の送信元アドレス情報が前記第２の記憶手段に未登録である場合、受信したポートを特定する情報と送信元アドレスとを対応付けて前記第２の記憶手段に登録し、送信先アドレスが前記第２の記憶手段に未登録の場合には、送信先アドレスを有する端末機器が存在するポートを特定し、前記第２に記憶手段に登録するアドレス登録手段を備えることを特徴とする請求項４に記載のスイッチ装置。
【請求項７】
前記経路ラベル情報と接続するポート間を特定する情報の登録要求を所定の形式で受信したとき、受信した経路ラベル情報と、接続するポート間を特定する情報とを前記第１の記憶手段に登録する経路ラベル登録手段を備えることを特徴とする請求項４に記載のスイッチ装置。
【請求項８】
前記経路通信フレームには、経路ラベルによるネットワーク固有のＩＤ情報が設けられており、前記第１の記憶手段は前記ＩＤ情報に関連付けて記憶することを特徴とする請求項４に記載のスイッチ装置。
【請求項９】
前記経路通信フレームは、前記アドレス通信フレームより優先して中継することを特徴とする請求項４に記載のスイッチ装置。
【請求項１０】
前記アドレス登録手段は、全ポートより送信先アドレスの所在を確認する要求をブロードキャストすることで、送信先アドレスを有する端末機器が存在するポートを特定することを特徴とする請求項４に記載のスイッチ装置。
【請求項１１】
複数の端末機器をネットワークに接続するための複数の接続ポートを有するスイッチ装置であって、
情報伝達するための各ポート間の接続を経路ラベル情報として記憶する第１の記憶手段と、
ネットワークアドレス情報とポートを特定するポート情報とを対応付けて記憶する第２の記憶手段と、
前記ポートから受信したデータの種別を判別する判別手段と、
前記判別手段による判別に応じて、前記第２の記憶手段に記憶された情報と、受信したデータに含まれる送信先アドレスとに基づくスイッチ処理、もしくは、前記第１の記憶手段に記憶された情報と、受信したデータに含まれる経路ラベル情報とに基づいたスイッチ処理を選択的に行うスイッチ手段と、
を有することを特徴とするスイッチ装置。
【請求項１２】
請求項１乃至１１のいずれか１つのスイッチ装置と、端末機器とを接続するためのネットワークインタフェース装置であって、
ＭＡＣアドレスを記憶するＭＡＣアドレス記憶手段と、
経路ラベルによるネットワークメンバを示す情報を記憶するため、外部から書き込み可能な経路ラベルメンバ情報記憶手段と、
通信フレームを構築する際に、送信元を特定する情報として、前記ＭＡＣアドレス記憶手段、前記経路ラベルメンバ情報記憶手段のいずれかを選択して通信フレームを作成する通信フレーム作成手段と
を備えることを特徴とするネットワークインタフェース装置。
【請求項１３】
複数の接続ポートの接続関係を示すラベル情報に基づいてラベルスイッチングを行うスイッチ装置を介した通信を行うネットワークインタフェース装置において、
第１のネットワークにおいて前記ネットワークインターフェース装置を特定するための識別情報を記憶する第１の記憶手段と、
前記第１のネットワーク内に仮想的に構築される第２のネットワークにおいて前記ネットワークインターフェース装置を用いた通信であることを特定するための識別情報を記憶する第２の記憶手段と、
前記第２のネットワークにおいてラベルスイッチングを行うか否かに応じて、第１の記憶手段に記憶されている識別情報、もしくは、前記第２の記憶手段に記憶されている識別情報を選択的に使用して通信する通信手段と、を有することを特徴とするネットワークインターフェース装置。
【請求項１４】
複数の端末機器をネットワークに接続するための複数の接続ポートを有するスイッチ装置の制御方法であって、
情報伝達するための各ポート間の接続を経路ラベル情報として所定の記憶手段に記憶するラベル情報記憶工程と、
前記複数のポート中の１つからデータを受信した場合、当該データ中に含まれるラベル情報を検出し、当該検出したラベル情報に一致する経路ラベル情報を前記記憶手段から取得し、取得した経路ラベル情報に従って該当するポートどうしを接続するポート接続制御工程と
を備えることを特徴とするスイッチ装置の制御方法。
【請求項１５】
複数の端末機器をネットワークに接続するための複数の接続ポートを有するスイッチ装置の制御方法であって、
情報伝達するための各ポート間の接続を経路ラベル情報として第１の記憶手段に格納する第１の格納工程と、
ネットワークアドレス情報とポートを特定するポート情報とを対応付けて第２の記憶手段に格納する第２の格納工程と、
前記複数のポート中からデータを受信した場合、当該データのフレームがアドレス通信フレームであるか、経路通信フレームであるかを判別する判別工程と、
該判別工程によってアドレス通信フレームであると判別した場合であって、当該フレーム中の送信元アドレス情報が前記第２の記憶手段に未登録である場合、受信したポートを特定する情報と送信元アドレスとを対応付けて前記第２の記憶手段に登録し、送信先アドレスが前記第２の記憶手段に未登録の場合には、送信先アドレスを有する端末機器が存在するポートを特定し、前記第２の記憶手段に登録するアドレス登録工程と、
前記アドレス通信フレームを有するデータを受信した場合、前記第２の記憶手段に登録された情報に基づき、前記アドレス通信フレーム中に記述された送信先アドレスに対応するポートと、送信元のアドレスに対応するポートとを接続するアドレス通信中継工程と、
経路ラベル情報と接続するポート間を特定する情報の登録要求が所定の形式で受信したとき、受信した経路ラベル情報と、接続するポート間情報とを前記第１の記憶手段に登録する経路ラベル登録工程と、
前記判別工程によって、前記経路通信フレームを有するデータを受信したと判別した場合、当該フレーム中に記述された経路ラベル情報で特定されるポート情報を前記第１の記憶手段から取得し、取得したポートを接続する経路ラベル通信中継工程と
を備えることを特徴とするスイッチ装置の制御方法。
【請求項１６】
請求項５に記載のスイッチ装置に接続されたネットワークデバイスの通信経路を管理する経路管理サーバであって、
前記通知手段により通知された各端末機器情報より、該端末機器それぞれに固有の識別情報を割り振る割り振り手段と、
ネットワークに接続されている端末機器の接続ツリーを作成する作成手段と、
前記作成手段により作成した接続ツリー情報を元に、経路ラベル情報を利用した論理的なネットワークを識別するためのネットワーク識別情報、並びに、当該ネットワークのメンバーとなる前記端末機器を認証するための認証情報を設定する設定手段と、
前記ネットワーク識別情報と関連付け、前記認証情報で認証された前記端末機器間の通信経路をラベル情報として割り当てるラベル付け手段と、
前記認証情報で認証された端末機器それぞれに、前記ネットワークに参加するための前記ネットワーク識別情報、並びに、当該ネットワーク識別情報内におけるユニークな端末機器識別情報を設定すると共に、当該ネットワーク識別情報で示される論理ネットワーク内における全経路のラベル情報を通知する手段と
を備えることを特徴とする経路管理サーバ。
【請求項１７】
前記経路管理サーバは、前記ラベル付け手段にて前記端末機器間の通信経路に割り当てたラベルを管理するラベル管理手段を備え、
前記通信経路にラベル情報を割り当てる際に、既に他の通信経路に割り当てたラベルと重複しないラベルを割り当てることを特徴とする請求項１６に記載の経路管理サーバ。
【請求項１８】
請求項５に記載のスイッチ装置に接続されたネットワークデバイスの通信経路を管理する経路管理サーバであって、
前記通知手段により通知された各端末機器情報より、該端末機器それぞれに固有の識別情報を割り振る割り振り手段と、
ネットワークに接続されている端末機器の接続ツリーを作成する作成手段と、
前記作成手段により作成した接続ツリー情報を元に、論理的なネットワークを識別するためのネットワーク識別情報、並びに、当該ネットワークのメンバーとなる前記端末機器を認証するための認証情報を設定する情報設定手段と、
前記認証情報で認証された端末機器それぞれに、前記ネットワークに参加するための前記ネットワーク識別情報、並びに、当該ネットワーク識別情報内におけるユニークな端末機器識別情報を設定する端末機器設定手段と、
前記認証情報で認証された第一の端末機器より、前記ネットワーク識別情報と関連付け、前記認証情報で認証された第二の端末機器との通信の開始を検出する通信開始検出手段と、
前記通信開始検出手段により通信の開始を検出したときに、前記第一の端末機器と前記第二の端末機器との間の通信経路をラベル情報として割り当てるラベル付け手段と、
前記ネットワーク識別情報で示される論理ネットワーク内における前記第一の端末機器と前記第二の端末機器と、更に前記第一の端末機器と前記第二の端末機器との通信経路上にある全てのスイッチ装置に、前記ラベル付け手段により割り当てたラベル情報を通知する手段と
を備えることを特徴とする経路管理サーバ。
【請求項１９】
前記経路管理サーバは、前記ラベル付け手段にて前記端末機器間の通信経路に割り当てたラベルを管理するラベル管理手段を備え、
前記通信経路にラベル情報を割り当てる際に、既に他の通信経路に割り当てたラベルと重複しないラベルを割り当てることを特徴とする請求項１８に記載の経路管理サーバ。
【請求項２０】
請求項５に記載のスイッチ装置に接続されたネットワークデバイスの通信経路を管理する経路管理サーバの制御方法であって、
前記通知手段により通知された各端末機器情報より、該端末機器それぞれに固有の識別情報を割り振る割り振り工程と、
ネットワークに接続されている端末機器の接続ツリーを作成する作成工程と、
前記作成工程により作成した接続ツリー情報を元に、経路ラベル情報を利用した論理的なネットワークを識別するためのネットワーク識別情報、並びに、当該ネットワークのメンバーとなる前記端末機器を認証するための認証情報を設定する設定工程と、
前記ネットワーク識別情報と関連付け、前記認証情報で認証された前記端末機器間の通信経路をラベル情報として割り当てるラベル付け工程と、
前記認証情報で認証された前記端末機器それぞれに、前記ネットワークに参加するための前記ネットワーク識別情報、並びに、当該ネットワーク識別情報内におけるユニークな前記端末機器識別情報を設定すると共に、当該ネットワーク識別情報で示される論理ネットワーク内における全経路のラベル情報を通知する工程と
を備えることを特徴とする経路管理サーバの制御方法。
【請求項２１】
請求項５に記載のスイッチ装置に接続されたネットワークデバイスの通信経路を管理する経路管理サーバの制御方法であって、
前記通知手段により通知された各端末機器情報より、該端末機器それぞれに固有の識別情報を割り振る割り振り工程と、
ネットワークに接続されている端末機器の接続ツリーを作成する作成工程と、
前記作成工程により作成した接続ツリー情報を元に、論理的なネットワークを識別するためのネットワーク識別情報、並びに、当該ネットワークのメンバーとなる前記端末機器を認証するための認証情報を設定する情報設定工程と、
前記認証情報で認証された端末機器それぞれに、前記ネットワークに参加するための前記ネットワーク識別情報、並びに、当該ネットワーク識別情報内におけるユニークな端末機器識別情報を設定する端末機器設定工程と、
前記認証情報で認証された第一の端末機器より、前記ネットワーク識別情報と関連付け、前記認証情報で認証された第二の端末機器との通信の開始を検出する通信開始検出工程と、
前記通信開始検出工程により通信の開始を検出したときに、前記第一の端末機器と前記第二の端末機器との間の通信経路をラベル情報として割り当てるラベル付け工程と、
前記ネットワーク識別情報で示される論理ネットワーク内における前記第一の端末機器と前記第二の端末機器と、更に前記第一の端末機器と前記第二の端末機器との通信経路上にある全てのスイッチ装置に、前記ラベル付け工程により割り当てたラベル情報を通知する工程と
を備えることを特徴とする経路管理サーバの制御方法。
【請求項２２】
複数の接続ポートの接続関係を示すラベル情報に基づいてラベルスイッチングを行うスイッチ装置と通信可能なサーバ装置であって、
第１のネットワーク内に仮想的に構築される第２のネットワークを構築するメンバ装置の接続関係を判別する判別手段と、
前記判別手段により判別されたメンバ装置の接続関係に基づいて、前記スイッチング装置がラベルスイッチングを行うためのラベル情報を作成する作成手段と、
前記作成手段により作成されたラベル情報を、前記スイッチ装置に通知する通知手段と
を有することを特徴とするサーバ装置。
【請求項２３】
コンピュータが読み込み実行することで、請求項１乃至１１のいずれか１つのスイッチ装置に接続されたネットワークデバイスの通信経路を管理する経路管理サーバとして機能するコンピュータプログラムであって、
経路ラベル情報を利用した論理的なネットワークを識別するためのネットワーク識別情報、並びに、当該ネットワークのメンバーとなるデバイスを認証するための認証情報を設定する設定手段と、
前記ネットワーク識別情報と関連付け、前記認証情報で認証されたデバイス間の通信経路をラベル情報として割り当てるラベル付け手段と、
前記認証情報で認証されたデバイスそれぞれに、前記ネットワークに参加するための前記ネットワーク識別情報、並びに、当該ネットワーク識別情報内におけるユニークなデバイス識別情報を設定すると共に、当該ネットワーク識別情報で示される論理ネットワーク内における全経路のラベル情報を通知する通知手段
として機能することを特徴とするコンピュータプログラム。
【請求項２４】
請求項２３に記載のコンピュータプログラムを格納したことを特徴とするコンピュータ可読記憶媒体。
【手続補正２】
【補正対象書類名】明細書
【補正対象項目名】００５５
【補正方法】変更
【補正の内容】
【００５５】
上記課題を達成するため、例えば、本発明のネットワーク用のスイッチ装置は以下の構成を備える。すなわち、
複数の端末機器をネットワークに接続するための複数の接続用のポートを有するスイッチ装置であって、
情報伝達するための各ポート間の接続を経路ラベル情報として記憶するラベル情報記憶手段と、
前記複数のポート中の１つからデータを受信した場合、当該データ中に含まれるラベル情報を検出し、当該検出したラベル情報に一致する経路ラベル情報を前記ラベル情報記憶手段から取得し、取得した経路ラベル情報に従って該当するポートどうしを接続するポート接続制御手段とを備える。